【手続補正書】
【提出日】平成21年1月19日(2009.1.19)
【手続補正１】
【補正対象書類名】特許請求の範囲
【補正対象項目名】全文
【補正方法】変更
【補正の内容】
【特許請求の範囲】
【請求項１】
静的マルチモードマルチプレックス分光器であって、
発生源放射が入射するものであり、透過要素と不透過要素がその各列が内積変換で独立とされた符号化行列として数学的に表現された伝達関数に従って配置されている、２次元独立列コードマスクと、
前記マスクを透過した発生源放射がそれに入射したときに前記マスクの像の波長依存空間シフトを生じさせるようにされており、前記符号化マスクと位置合わせされた分散素子と、
前記分散素子からの発生源放射が入射するようにされているとともに、行検出素子と列検出素子を有し、前記検出素子は、前記マスクの前記波長依存空間シフト像を光強度値に変換するようにされている、前記分散素子と位置合わせされた２次元検出アレイと、
前記発生源放射のスペクトル密度の数学的表現であるスペクトル行列を作成するために、前記値をデータ行列に記憶し、前記符号化行列を使用して前記データ行列の変換を実行する処理ユニットと、
を有する静的マルチモードマルチプレックス分光器。
【請求項２】
前記符号化行列はアダマール行列である、
請求項１に記載の静的マルチモードマルチプレックス分光器。
【請求項３】
前記符号化行列はＳ行列である、
請求項１に記載の静的マルチモードマルチプレックス分光器。
【請求項４】
前記符号化行列は、ランダムシーケンス、擬似ランダムシーケンスおよび完全シーケンスのうちの１つを使用する略直交列からなる、
請求項１に記載の静的マルチモードマルチプレックス分光器。
【請求項５】
前記符号化行列は、調和関数および部分波関数のうちの１つを有する連続的な直交関数族から形成される、
請求項１に記載の静的マルチモードマルチプレックス分光器。
【請求項６】
前記符号化行列は連続的な直交関数族から形成される、
請求項１に記載の静的マルチモードマルチプレックス分光器。
【請求項７】
前記分散素子は、グレーティング、ホログラフィックグレーティングおよびプリズムの１つ以上である、
請求項１に記載の静的マルチモードマルチプレックス分光器。
【請求項８】
前記アレイは、２次元電荷結合素子、能動ピクセル光検出アレイ、マイクロボロメータアレイまたはフォトダイオードアレイである、
請求項１に記載の静的マルチモードマルチプレックス分光器。
【請求項９】
前記処理ユニットは、コンピュータ、マイクロプロセッサおよび特定用途向け回路の１つ以上である、
請求項１に記載の静的マルチモードマルチプレックス分光器。
【請求項１０】
前記処理ユニットは、前記検出アレイへの前記スペクトルのスペクトル線湾曲および非線形分散を補正するために、デジタル補償法を使用するようになっている、
請求項１に記載の静的マルチモードマルチプレックス分光器。
【請求項１１】
前記システムは、前記平均スペクトル密度を得る代わりに、発生源放射スペクトル密度の１次元空間像を得ることにも使用可能とされている、
請求項１に記載の静的マルチモードマルチプレックス分光器。
【請求項１２】
前記発生源放射スペクトル密度の三次元像は、発生源を回転させる、前記静的マルチモードマルチプレックス分光器を回転させる、前記静的マルチモードマルチプレックス分光器への前記発生源のプレゼンテーションを回転させる、の１つ以上によって形成される、
請求項１に記載の静的マルチモードマルチプレックス分光器。
【請求項１３】
静的マルチモードマルチプレックス分光器であって、
発生源放射が入射するものであり、透過要素と不透過要素がその各列が内積変換で独立とされた符号化行列として数学的に表現された伝達関数に従って配置されている、２次元独立列コードマスクと、
前記マスクを透過した発生源放射がそれに入射したときに前記マスクの像の波長依存空間シフトを生じさせるようにされており、前記符号化マスクと位置合わせされた分散素子と、
前記発生源放射の不均一なスペクトル密度を少なくとも一方向に実質的に均一なスペクトル密度に変換するものとされているとともに、前記発生源放射と前記マスクとの間に配置された光学系と、
前記分散素子からの発生源放射が入射するようにされているとともに、行検出素子と列検出素子を有し、前記検出素子は、前記マスクの前記波長依存空間シフト像を光強度値に変換するようにされている、前記分散素子と位置合わせされた２次元検出アレイと、
前記発生源放射のスペクトル密度の数学的表現であるスペクトル行列を作成するために、前記値をデータ行列に記憶し、前記符号化行列を使用して前記データ行列の変換を実行する処理ユニットと、
を有する静的マルチモードマルチプレックス分光器。
【請求項１４】
空間的に不均一な発生源を空間的に均一な発生源に変換するために、前記発生源と前記マスクとの間にフーリエ変換レンズが配置されている、
請求項１３に記載の静的マルチモードマルチプレックス分光器。
【請求項１５】
前記マスクの均一な照射のために、前記発生源と前記マスクとの間にピントグラス拡散体が配置されている、
請求項１３に記載の静的マルチモードマルチプレックス分光器。
【請求項１６】
前記発生源と前記マスクとの間に配置されたマルチモードバンドルが、均一な照射を発生させるようになっている、
請求項１３に記載の静的マルチモードマルチプレックス分光器。
【請求項１７】
静的マルチモードマルチプレックス分光器であって、
発生源放射が入射するものであり、透過要素と不透過要素がその各列が内積変換で独立とされた符号化行列として数学的に表現された伝達関数に従って配置されているとともに、特定の次数の離散的行列（アダマールまたはＳ行列）によって記述された符号化を実装するためにリソグラフィによってエッチングされた一連のアパーチャから構成されている、２次元独立列コードマスクと、
前記マスクを透過した発生源放射がそれに入射したときに前記マスクの像の波長依存空間シフトを生じさせるようにされており、前記符号化マスクと位置合わせされた分散素子と、
前記分散素子からの発生源放射が入射するようにされているとともに、行検出素子と列検出素子を有し、前記検出素子は、前記マスクの前記波長依存空間シフト像を光強度値に変換するようにされている、前記分散素子と位置合わせされた２次元検出アレイと、
前記発生源放射のスペクトル密度の数学的表現であるスペクトル行列を作成するために、前記値をデータ行列に記憶し、前記符号化行列を使用して前記データ行列の変換を実行する処理ユニットと、
を有する静的マルチモードマルチプレックス分光器。
【請求項１８】
アダマール行列の値−１を有する前記マスクは、行２倍化アダマール行列（各行が、互いに補数の２つの行で置換されている）によって実現されている、
請求項１７に記載の静的マルチモードマルチプレックス分光器。
【請求項１９】
前記符号化マスクは、独立列コードの族によって定義されるグレースケールパターンを実装するために前記連続トーンマスクをハーフトーンマスクに変換することによって作製されたものである、
請求項１７に記載の静的マルチモードマルチプレックス分光器。
【請求項２０】
前記マスクの透過要素および不透過要素は、前記分光器が、さまざまな変換、ならびに前記発生源放射の前記特性に理想的に一致できるようにするアパーチャサイズ範囲を提供でいるようにするために、電気的手段、光学的手段または機械的手段によって自動的に、または手動で再構成可能とされている、
請求項１７に記載の静的マルチモードマルチプレックス分光器。
【請求項２１】
前記デジタル技術は、前記マスク上の前記発生源の異なる照射パターンに対応するために、前記アパーチャのうちの選択された部分のみを再構築する（これにより可変のアパーチャシステムとなる）ものとされている、
請求項１９に記載の静的マルチモードマルチプレックス分光器。
【請求項２２】
前記デジタル技術は、前記マスク上の前記発生源の異なる照射パターンに対応するために、前記アパーチャの選択された部分のみを再構築する（これにより可変のアパーチャシステムとなる）ものとされている、
請求項２０に記載の静的マルチモードマルチプレックス分光器。